(57)【要約】【課題】  回転子が係止される際の音を安定的に低減する。【解決手段】  軸筒１０と、軸筒１０の後端から突出するノック体２０と、ノック体２０に対する押圧操作により軸筒１０内で前進及び回転して係止される回転子３０と、前記前進により筆記部４１を軸筒前端から突出させる中芯４０と、中芯４０を回転子３０に接続する中芯受け６０とを備え、中芯受け６０は、中芯４０の後端側外周部に嵌り合った筒部６１と、筒部６１から後方へ延設されて回転子３０に接続された接続部６２とを有し、筒部６１には、間隔を置いた二か所で筒部６１の周壁を貫通する貫通部６１ｃと、これら貫通部６１ｃの間に位置し筒部６１の周壁に一体化された撓み片部６１ｄとが設けられ、撓み片部６１ｄには、軸筒径外方向へ突出して軸筒１０の内周面に摺接する摺接突起６１ｄ１が設けられている。【選択図】  図６
2018144421.tif 000002
【特許請求の範囲】
【請求項１】
軸筒と、該軸筒の後端から突出するノック体と、該ノック体に対する押圧操作により軸筒内で前進及び回転して係止される回転子と、前記前進により筆記部を軸筒前端から突出させる中芯と、前記中芯を前記回転子に接続する中芯受けとを備え、
前記中芯受けは、前記中芯の後端側外周部に嵌り合った筒部と、該筒部から後方へ延設されて前記回転子に接続された接続部とを有し、
前記筒部には、間隔を置いた二か所で前記筒部の周壁を貫通する貫通部と、これら貫通部の間に位置し、これら貫通部の並び方向に対する交差方向の端部が該筒部の周壁に一体化された撓み片部とが設けられ、前記撓み片部には、軸筒径外方向へ突出して前記軸筒の内周面に摺接する摺接突起が設けられていることを特徴とするノック式筆記具。
【請求項２】
前記二か所の貫通部は、軸筒軸方向に間隔を置いて設けられていることを特徴とする請求項１記載のノック式筆記具。
【請求項３】
前記撓み片部は、前記交差方向における中央寄りに前記摺接突起を有し、
前記摺接突起は、前記筒部における他の部分よりも軸筒径外方向へ突出していることを特徴とする請求項１又は２記載のノック式筆記具。
【請求項４】
前記筒部は、その内周面の後端寄りに前記中芯の外周面に嵌り合う嵌合部を有し、この嵌合部よりも前側に前記撓み片部を配置するとともに、この撓み片部と前記中芯の外周面との間に隙間を有することを特徴とする請求項１乃至３何れか１項記載のノック式筆記具。
【請求項５】
前記撓み片部は、前記交差方向において、前記摺接突起と前記筒部の周壁に対する接続部分との間に、軸筒径方向の肉厚が前記摺接突起の部分よりも薄い薄肉部を有することを特徴とする請求項３又は４記載のノック式筆記具。
【発明の詳細な説明】
【技術分野】
【０００１】
本発明は、回転子を回転させて筆記部を軸筒前端から出没させるようにしたノック式筆記具に関するものである。
【背景技術】
【０００２】
従来、この種の筆記具には、例えば特許文献１に記載されるように、軸筒と、該軸筒の後端から突出する操作部と、この操作部に対する押圧操作により軸筒内で前進及び回転して係止される回転子と、この回転子の前端側に接続され前記前進により筆記部を軸筒前端から突出させるリフィールとを備えたノック式筆記具が知られている。
ところで、従来のノック式筆記具では、回転子が勢いよく回転して係止される構造であるため、その係止の際に音が発生する。この係止音は、比較的静かな室内や会議中等、使用環境によっては使用者や周囲の人が耳障りに感じる場合がある。
そこで、例えば、特許文献２に記載の発明では、回転カムに軸筒の内壁面に当接する回転抑制部材を設け、この回転抑制部材と軸筒内壁面との摩擦抵抗により回転カムの回転力や回転スピードを低減するようにしている。
【先行技術文献】
【特許文献】
【０００３】
【特許文献１】特開２００４−２０９８８１号公報
【特許文献２】特開２００９−２５５４２７号公報
【発明の概要】
【発明が解決しようとする課題】
【０００４】
しかしながら、後者従来技術によれば、回転抑制部材の寸法ばらつきや材質等に起因して、この回転抑制部材と軸筒内壁面との摩擦抵抗にもばらつきが生じ、ひいては、回転カムの回転力や回転スピード、係止音等にもばらつきを生じるおそれがある。
【課題を解決するための手段】
【０００５】
このような課題に鑑みて、本発明は、以下の構成を具備するものである。
軸筒と、該軸筒の後端から突出するノック体と、該ノック体に対する押圧操作により軸筒内で前進及び回転して係止される回転子と、前記前進により筆記部を軸筒前端から突出させる中芯と、前記中芯を前記回転子に接続する中芯受けとを備え、前記中芯受けは、前記中芯の後端側外周部に嵌り合った筒部と、該筒部から後方へ延設されて前記回転子に接続された接続部とを有し、前記筒部には、間隔を置いた二か所で前記筒部の周壁を貫通する貫通部と、これら貫通部の間に位置し、これら貫通部の並び方向に対する交差方向の両端部が該筒部の周壁に一体化された撓み片部とが設けられ、前記撓み片部には、軸筒径外方向へ突出して前記軸筒の内周面に摺接する摺接突起が設けられていることを特徴とするノック式筆記具。
【図面の簡単な説明】
【０００６】
【図１】本発明に係るノック式筆記具の一例を示す全断面図である。
【図２】中芯受けの一例を示し、（ａ）は側面図、（ｂ）は半断面図である。
【図３】（ａ）は図２のIIIa-IIIa線に沿う切断端面図、（ｂ）は図２のIIIb-IIIb線に沿う切断端面図である。
【図４】図２（ｂ）に対する左側面図である。
【図５】図４のＶ-Ｖ線に沿う切断端面図である。
【図６】同ノック式筆記具の要部拡大断面図であり、（ａ）は筆記部を収納した状態を示し、（ｂ）は筆記部を突出させた状態を示す。
【発明を実施するための形態】
【０００７】
本実施の形態では、以下の特徴を開示している。
第１の特徴は、軸筒と、該軸筒の後端から突出するノック体と、該ノック体に対する押圧操作により軸筒内で前進及び回転して係止される回転子と、前記前進により筆記部を軸筒前端から突出させる中芯と、前記中芯を前記回転子に接続する中芯受けとを備え、前記中芯受けは、前記中芯の後端側外周部に嵌り合った筒部と、該筒部から後方へ延設されて前記回転子に接続された接続部とを有し、前記筒部には、間隔を置いた二か所で前記筒部の周壁を貫通する貫通部と、これら貫通部の間に位置し、これら貫通部の並び方向に対する交差方向の両端部が該筒部の周壁に一体化された撓み片部とが設けられ、前記撓み片部には、軸筒径外方向へ突出して前記軸筒の内周面に摺接する摺接突起が設けられている。
これらの構成によれば、摺接突起と軸筒内周面との摩擦抵抗を撓み片部の撓みにより安定させることができる。
【０００８】
第２の特徴として、回転子の回転時における前記摺接突起と軸筒内周面との摩擦抵抗をより安定させるように、前記二か所の貫通部は、軸筒軸方向に間隔を置いて設けられている（図２参照）。
【０００９】
第３の特徴として、前記交差方向における中央寄りに前記摺接突起を有し、前記摺接突起は、前記筒部における他の部分よりも軸筒径外方向へ突出している（図２参照）。
【００１０】
第４の特徴として、前記撓み片部の撓み量を安定させるために、前記筒部は、その内周面の後端寄りに前記中芯の外周面に嵌り合う嵌合部を有し、この嵌合部よりも前側に前記撓み片部を配置するとともに、この撓み片部と前記中芯の外周面との間に隙間を有する（図２参照）。
【００１１】
第５の特徴として、前記撓み片部は、前記交差方向において、前記摺接突起と前記筒部の周壁に対する接続部分との間に、軸筒径方向の肉厚が前記摺接突起の部分よりも薄い薄肉部を有する（図３（ａ）参照）。
【００１２】
＜具体的実施態様＞
次に、上記特徴を有する具体的な実施態様について、図面に基づいて詳細に説明する。
なお、本明細書中、軸筒軸方向とは、軸筒の中心線の延びる方向を意味する。また、「前」とは、軸筒軸方向の一方側であって筆記部の先端方向を意味する。また、「後」とは、軸筒軸方向の前記一方側に対する逆方向側を意味する。また、「軸筒径方向」とは、軸筒軸方向に対し直交する方向を意味する。また、「軸筒径外方向」とは、前記軸筒径方向に沿って軸筒中心から離れる方向を意味する。「軸筒径内方向」とは、前記軸筒径方向に沿って軸筒中心へ近づく方向を意味する。
【００１３】
図１は、本発明に係るノック式筆記具の一例を示す。
このノック式筆記具１は、軸筒１０と、該軸筒１０の後端から突出するノック体２０と、該ノック体２０に対する押圧操作により軸筒内で前進及び回転して係止される回転子３０と、前記前進により筆記部４１を軸筒前端から突出させる中芯４０と、中芯４０を後方へ付勢する付勢部材５０と、中芯４０を回転子３０に接続する中芯受け６０とを備え、ノック体２０が前方へ押圧操作されることで、軸筒１０の前端から筆記部４１を突出させて係止し、この係止状態を、ノック体２０が前方へ再度押圧操作されることで解除する。
【００１４】
軸筒１０は、長尺円筒状の本体筒１１と、この本体筒１１の先端側に螺合接続された先細筒状の先口１２と、本体筒１１前端側の被把持部位に環状に装着された弾性グリップ１３と、軸筒１０の後端側の内周面に進退不能かつ回転不能に嵌合したカム筒１４とから一体的に構成される。
この軸筒１０は、前記のように複数の部材から構成されるが、他例としては、本体筒１１、先口１２、弾性グリップ１３、カム筒１４のうち、その一部または全部を一体の部材とすることが可能である。
【００１５】
カム筒１４は、略円筒状に形成され、その内周面に、後述するノック体２０及び回転子３０を進退方向へ案内するスライド溝や、前進した際の回転子３０を回転させるカム斜面、所定量回転した回転子３０を当接させて係止する係止面等を有する。
【００１６】
ノック体２０は、後端側を閉鎖した有底円筒状の部材であり、カム筒１４に対し進退可能かつ回転不能に嵌り合っており、前進した際に、回転子３０を押動して一体的に前進させる。
このノック体２０には、カム筒１４のスライド溝に嵌り合って前後に案内される突条や、回転子３０を回転させるためのカム斜面等が設けられている。
【００１７】
回転子３０は、後半部側をノック体２０内に挿入した状態で、カム筒１４内で進退可能かつ回転可能に支持された略円筒状の部材である。
この回転子３０は、ノック体２０に押圧されて所定量前進すると回転して係止され、ノック体２０に再度押圧された際に前記係止状態を解除する。
この回転子３０には、カム筒１４のスライド溝に嵌って案内される係合部や、該係合部の後端部に設けられて、ノック体２０のカム斜面やカム筒１４のカム斜面に摺接するカム斜面等が設けられる。
【００１８】
中芯４０は、図示例によれば、ボールペン用リフィールであり、長尺円筒状のインクタンク４２の前端に、ボールペンチップである筆記部４１を接続している。
中芯４０の後端側は中芯受け６０を介して回転子３０に受けられている。
【００１９】
付勢部材５０は、圧縮コイルスプリングであり、その前端部を軸筒１０内の段部に係止するとともに、後端部をインクタンク４２外周面の段部に係止して、中芯４０を後方へ付勢している。
【００２０】
これまでの構成によれば、筆記部４１の収納状態にて、ノック体２０がノック操作されると、回転子３０が所定量前進して、筆記部４１を軸筒１０の前端から突出させ、この回転子３０がさらに所定量回転して、カム筒１４に係止される。
また、筆記部４１の突出状態にて、ノック体２０がノック操作されると、回転子３０の前記係止状態が解除され、回転子３０が所定量回転して後退し、この後退に伴って筆記部４１が軸筒１０内に没入する。
上記のように回転子３０の回転及び進退により筆記部４１を出没させる回転カム機構は、例えば、特開２００４−２０９８８１号公報に記載されたリフィール進退ユニットの機構や、その他の周知の機構を適用することが可能である。
【００２１】
また、中芯受け６０は、中芯４０の後端側外周面に対し隙間ｓを置いて嵌り合った筒部６１と、筒部６１から後方へ延設されて回転子３０に挿入され接続された接続部６２とを有し、前半部側を拡径した段付き円筒状に形成される。
この中芯受け６０の材質は、例えば硬質合成樹脂材等、後述する撓み片部６１ｄを弾性的に撓ませるものであればよい。
【００２２】
筒部６１は、インクタンク４２の外径よりも大きい内径の略円筒状に形成される。この筒部６１の内周面には、その後端側に縦リブ状の嵌合部６１ａ（図２（ｂ））が設けられ、さらにこの嵌合部６１ａよりも後側には中芯４０の後端を受ける突起状の受部６１ｂが設けられる。
【００２３】
嵌合部６１ａは、周方向に間隔を置いて複数設けられる（図４参照）。各嵌合部６１ａは、筒部６１の内周面の後端側で、軸筒径内方向へ突出するとともに軸筒軸方向へ延設されており、その径内方向の突端部を、中芯４０の外周面に対し近接又は接触させている。
この嵌合部６１ａと中芯４０との嵌り合いには、中芯４０の着脱交換が可能な程度に緩く嵌合した態様や、中芯４０外周面との間に若干の隙間を有して嵌合した態様等を含む。
【００２４】
受部６１ｂは、筒部６１内の後奥側にて縮径された内周面から径内方向へ突出する突起であり、周方向に間隔を置いて複数設けられる（図４参照）。各受部６１ｂは、中芯４０の後端部に接触して該中芯４０を受けている。
【００２５】
また、筒部６１には、前後に間隔を置いた二か所で周壁を貫通する貫通部６１ｃ，６１ｃと、これら貫通部６１ｃ，６１ｃの間に位置し軸筒周方向の両端部側が筒部６１の周壁に一体化された撓み片部６１ｄと、これら貫通部６１ｃ及び撓み片部６１ｄ以外の円筒状部分である筒部本体６１ｅとが設けられる。
【００２６】
貫通部６１ｃは、図２（ａ）（ｂ）に示すように、筒部６１の周壁を径方向へ貫通するとともに軸筒周方向へ長尺状に延設された貫通孔である。
【００２７】
撓み片部６１ｄは、前後の貫通部６１ｃ，６１ｃの間で、軸筒周方向へ延設されており、その延設方向の中央寄りに、軸筒径外方向へ突出して軸筒１０におけるカム筒１４の内周面に摺接する摺接突起６１ｄ１を有し、さらに、この摺接突起６１ｄ１と、筒部６１周壁に対する接続部分との間には、薄肉部６１ｄ２，６１ｄ２が設けられる。
撓み片部６１ｄと貫通部６１ｃの周方向長さは、略同一である。
【００２８】
この撓み片部６１ｄは、嵌合部６１ａにおける径内方向の突端部よりも軸筒前側に位置する。そして、この撓み片部６１ｄの内面と中芯４０外周面との間には隙間ｓが確保されている。
また、この撓み片部６１ｄは、軸筒周方向において、その中央寄りの幅Ｗが、両端部側の幅よりも狭くなっている。すなわち、撓み片部６１ｄの端縁６１ｄ３が、図２（ａ）に示すように、軸筒周方向において略弓形に凹湾曲している。
これらの構成によれば、撓み片部６１ｄを径内方向へ十分に撓ませることができる。
【００２９】
摺接突起６１ｄ１は、筒部６１外周面における他の部分（薄肉部６１ｄ２を含む）よりも径外方向へ突出している。この摺接突起６１ｄ１の突端面は、軸筒１０におけるカム筒１４内周面に沿う凸曲面状に形成され、カム筒１４内周面に対し圧接されている。
詳細に説明すれば、この摺接突起６１ｄ１の外径Ｄは、図３（ｂ）に示すように、薄肉部６１ｄ２の外径よりも大きく、さらに、筒部本体６１ｅの外径よりも大きく、かつ、カム筒１４の内径よりも若干大きく設定されている。
【００３０】
この摺接突起６１ｄ１の前後端部には、それぞれ、Ｃ面取り状又はＲ面取り状の面取り部６１ｄ１１が設けられている。
【００３１】
薄肉部６１ｄ２は、摺接突起６１ｄ１部分の壁厚よりも薄肉であって且つ筒部本体６１ｅの壁厚よりも薄肉に形成された部分である。
この薄肉部６１ｄ２は、摺接突起６１ｄ１がカム筒１４の内周面に圧接された際に、径内方向へ撓んで、摺接突起６１ｄ１とカム筒１４との摩擦抵抗を適宜に調整する。
【００３２】
また、接続部６２は、図示例によれば円筒状に形成されている（図２参照）。この接続部６２は、回転子３０の前端側の内周面に圧入されて固定されている。
したがって、中芯受け６０は、カム筒１４内にて、回転子３０と一体的に回転可能かつ進退可能である。
【００３３】
次に、上記構成のノック式筆記具１について、その特徴的な作用効果を詳細に説明する。
初期位置においては、図６（ａ）に示すように、中芯４０が付勢部材５０により後方へ付勢されて、筆記部４１が軸筒１０内に位置し、回転子３０及び中芯受け６０が軸筒１０内の後端寄りに静止している。
外部から押圧操作によりノック体２０が前方へ移動すると、このノック体２０に押されて回転子３０も前進し、回転子３０と一体的に中芯受け６０も前進する。
【００３４】
前記のようにして回転子３０及び中芯受け６０は、所定量前進すると、上述した回転カム機構によって所定量回転し、カム筒１４内に係止され、筆記部４１が軸筒１０前端から突出した筆記可能状態に維持される（図６（ｂ）参照）。
前記回転の際、中芯受け６０の摺接突起６１ｄ１は、カム筒１４の内周面に圧接されて適度な摩擦抵抗を受ける。
したがって、回転子３０及び中芯受け６０の回転速度が低下し、回転子３０がカム筒１４内に係止される際の音の発生を抑制することができる。
【００３５】
また、筆記部４１の突出状態において、ノック体２０が再度押された場合には、回転子３０の係止状態が解除され回転子３０が所定量回転する。この際に発生する音も、摺接突起６１ｄ１の摩擦抵抗により軽減することができる。
【００３６】
よって、上記構成のノック式筆記具１によれば、回転子３０の回転に伴う音の発生を軽減することができる。
しかも、摺接突起６１ｄ１をカム筒１４内周面に摺接させた状態で、撓み片部６１ｄを適宜に撓ませるようにしているため、中芯受け６０の径方向寸法に多少のばらつきが生じたとしても、摺接突起６１ｄ１とカム筒１４内周面の摩擦抵抗がばらつくのを防ぐことができ、一定の品質を維持することがきる。
【００３７】
なお、上記実施態様によれば、好ましい態様として、軸筒軸方向に並ぶ貫通部６１ｃの間に撓み片部６１ｄを設けるようにしたが、他例としては、貫通部６１ｃを軸筒周方向に並べ、これらの間に撓み片部６１ｄを設けた態様とすることも可能である。
【００３８】
また、上記実施態様によれば、好ましい態様として、撓み片部６１ｄをその両端側が筒部６１周壁に接続された両持ち梁状に形成したが、他例としては、撓み片部６１ｄを、その一端側のみが筒部６１周壁に接続された片持ち梁状に形成することも可能である。
【００３９】
また、上記実施態様によれば、中芯受け６０と回転子３０をそれぞれ別体の構成としたが、他例としては、これら中芯受け６０と回転子３０を一体の構成とすることも可能である。
【００４０】
なお、本発明は上述した実施態様に限定されず、本発明の要旨を変更しない範囲で適宜変更可能である。
【符号の説明】
【００４１】
１：ノック式筆記具
１０：軸筒
２０：ノック体
３０：回転子
４０：中芯
４１：筆記部
６０：中芯受け
６１：筒部
６１ａ：嵌合部
６２：接続部
６１ｃ：貫通部
６１ｄ：撓み片部
６１ｄ１：摺接突起
６１ｄ２：薄肉部
ｓ：隙間
【図１】
2018144421.tif 000003
【図２】
2018144421.tif 000004
【図３】
2018144421.tif 000005
【図４】
2018144421.tif 000006
【図５】
2018144421.tif 000007
【図６】
2018144421.tif 000008